【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
複数の撮影装置に対応する複数の認証装置とネットワークを介して接続された情報処理装置であって、
前記複数の撮影装置に含まれる第１の撮影装置により撮影された撮影画像に含まれ該第１の撮影装置に対応する第１の認証装置により認証された第１のオブジェクトの認証に利用可能な認証データを生成する認証データ生成手段と、
前記認証データ生成手段により生成された認証データを、前記複数の認証装置に含まれる少なくとも１つの認証装置の認証ＤＢに反映させる反映手段と、
を備え、
前記認証データ生成手段は、前記第１のオブジェクトを認証した際に用いた前記第１の認証装置の認証ＤＢに含まれる第１の認証データに対応する第１の撮影条件とは異なる第２の撮影条件に対応する第２の認証データを生成する
ことを特徴とする情報処理装置。
【請求項２】
前記認証データ生成手段は、前記第１の撮影装置により得られた複数の撮影画像に関して前記第１のオブジェクトを追尾して得られる画像群の中から前記第２の撮影条件に対応する画像を選択し前記第２の認証データを生成する
ことを特徴とする請求項１に記載の情報処理装置。
【請求項３】
前記第１の撮影装置により得られた複数の撮影画像におけるオブジェクトの撮影条件の出現確率を算出する算出手段を更に備え、
前記認証データ生成手段は、前記算出手段により算出された出現確率に基づいて前記第２の撮影条件を決定する
ことを特徴とする請求項２に記載の情報処理装置。
【請求項４】
前記認証データ生成手段は、更に、前記第１の撮影条件及び前記第２の撮影条件とは異なる第３の撮影条件に対応する第３の認証データを生成する
ことを特徴とする請求項１乃至３の何れか１項に記載の情報処理装置。
【請求項５】
前記撮影条件は、オブジェクトの撮影方向、オブジェクトの付帯物、照明条件の少なくとも１つを含む
ことを特徴とする請求項１乃至４の何れか１項に記載の情報処理装置。
【請求項６】
前記オブジェクトは、人の顔画像であり、
前記認証ＤＢに含まれる認証データは顔画像の特徴量である
ことを特徴とする請求項１乃至５の何れか１項に記載の情報処理装置。
【請求項７】
前記反映手段は、前記認証ＤＢに含まれることになる複数の認証データにおける撮影条件の分散が大きくなるように、前記認証データ生成手段により生成された認証データを、前記複数の認証装置に含まれる少なくとも１つの認証装置の認証ＤＢに反映させる
ことを特徴とする請求項１乃至６の何れか１項に記載の情報処理装置。
【請求項８】
前記認証データ生成手段により生成された１以上の認証データに対して優先度を付与する付与手段を更に備え、
前記反映手段は、相対的に優先度が高い認証データを前記複数の認証装置に含まれる少なくとも１つの認証装置の認証ＤＢに反映させる
ことを特徴とする請求項１乃至７の何れか１項に記載の情報処理装置。
【請求項９】
前記反映手段は、更に、認証データの反映により認証ＤＢに含まれる認証データの個数が所定の上限を超える場合に該認証ＤＢに含まれる１以上の認証データを削除する
ことを特徴とする請求項１乃至８の何れか１項に記載の情報処理装置。
【請求項１０】
前記反映手段は、前記第１のオブジェクトの移動軌跡を予測し、該移動軌跡に基づいて、認証データを反映させる認証ＤＢの順序を決定する
ことを特徴とする請求項１乃至９の何れか１項に記載の情報処理装置。
【請求項１１】
前記複数の撮影装置の各々と対応する認証装置とは一体の装置として構成される
ことを特徴とする請求項１乃至１０の何れか１項に記載の情報処理装置。
【請求項１２】
複数の撮影装置に対応する複数の認証装置とネットワークを介して接続された情報処理装置の制御方法であって、
前記複数の撮影装置に含まれる第１の撮影装置により撮影された撮影画像に含まれ該第１の撮影装置に対応する第１の認証装置により認証された第１のオブジェクトの認証に利用可能な認証データを生成する認証データ生成工程と、
前記認証データ生成工程により生成された認証データを、前記複数の認証装置に含まれる少なくとも１つの認証装置の認証ＤＢに反映させる反映工程と、
を含み、
前記認証データ生成工程では、前記第１のオブジェクトを認証した際に用いた前記第１の認証装置の認証ＤＢに含まれる第１の認証データに対応する第１の撮影条件とは異なる第２の撮影条件に対応する第２の認証データを生成する
ことを特徴とする制御方法。
【請求項１３】
コンピュータを、請求項１乃至１１の何れか１項に記載の情報処理装置の各手段として機能させるためのプログラム。
【請求項１４】
認証システムであって、
複数の撮影手段と、
前記複数の撮影手段に対応する複数の認証手段であって、該複数の認証手段の各々は対応する撮影手段により取得された撮影画像に含まれるオブジェクトをそれぞれの認証ＤＢに基づいて認証する、前記複数の認証手段と、
前記複数の撮影手段に含まれる第１の撮影手段により撮影された撮影画像に含まれ該第１の撮影手段に対応する第１の認証手段により認証された第１のオブジェクトの認証に利用可能な認証データを生成する認証データ生成手段と、
前記認証データ生成手段により生成された認証データを、前記複数の認証手段に含まれる少なくとも１つの認証手段の認証ＤＢに反映させる反映手段と、
を備え、
前記認証データ生成手段は、前記第１のオブジェクトを認証した際に用いた前記第１の認証手段の認証ＤＢに含まれる第１の認証データに対応する第１の撮影条件とは異なる第２の撮影条件に対応する第２の認証データを生成する
ことを特徴とする認証システム。
【請求項１５】
認証システムの制御方法であって、
前記認証システムは、
複数の撮影手段と、
前記複数の撮影手段に対応する複数の認証手段であって、該複数の認証手段の各々は対応する撮影手段により取得された撮影画像に含まれるオブジェクトをそれぞれの認証ＤＢに基づいて認証する、前記複数の認証手段と、
を備え、
前記制御方法は、
前記複数の撮影手段に含まれる第１の撮影手段により撮影された撮影画像に含まれ該第１の撮影手段に対応する第１の認証手段により認証された第１のオブジェクトの認証に利用可能な認証データを生成する認証データ生成工程と、
前記認証データ生成工程により生成された認証データを、前記複数の認証手段に含まれる少なくとも１つの認証手段の認証ＤＢに反映させる反映工程と、
を含み、
前記認証データ生成工程では、前記第１のオブジェクトを認証した際に用いた前記第１の認証手段の認証ＤＢに含まれる第１の認証データに対応する第１の撮影条件とは異なる第２の撮影条件に対応する第２の認証データを生成する
ことを特徴とする制御方法。
【請求項１６】
複数の撮影装置とネットワークを介して通信可能に接続された情報処理装置であって、
前記複数の撮影装置に含まれる第１の撮影装置により撮影された撮影画像に含まれ、該第１の撮影装置が有する第１の認証手段により認証されたオブジェクトの認証に利用可能な認証データを生成する認証データ生成手段と、
前記認証データ生成手段により生成された認証データを、前記複数の撮影装置に含まれ、前記第１の撮影装置とは異なる少なくとも１つの撮影装置が有する保持手段であって認証データを保持する認証データベースに反映させる反映手段と、
を備え、
前記認証データ生成手段は、前記オブジェクトを認証した際に用いた前記第１の撮影装置が有する認証データベースに登録されていた第１の認証データに対応する第１の条件とは異なる第２の条件に対応する第２の認証データを生成する
ことを特徴とする情報処理装置。
【請求項１７】
前記認証データ生成手段は、前記第１の撮影装置により得られた複数の撮影画像に関して前記オブジェクトを追尾して得られる画像群の中から前記第２の条件に対応する画像を選択し前記第２の認証データを生成する
ことを特徴とする請求項１６に記載の情報処理装置。
【請求項１８】
前記オブジェクトは、人間の顔画像であり、
前記認証データ生成手段は、顔の領域を追尾して得られる画像群の中から、前記第１の認証手段による認証に利用した認証データでは認証されない顔向きに対応する前記第２の認証データを生成する
ことを特徴とする請求項１６または１７に記載の情報処理装置。
【請求項１９】
複数の撮影装置とネットワークを介して通信可能に接続された情報処理装置の制御方法であって、
前記複数の撮影装置に含まれる第１の撮影装置により撮影された撮影画像に含まれ、該第１の撮影装置が有する第１の認証手段により認証されたオブジェクトの認証に利用可能な認証データを生成する認証データ生成工程と、
前記認証データ生成工程により生成された認証データを、前記複数の撮影装置に含まれ、前記第１の撮影装置とは異なる少なくとも１つの撮影装置が有する保持手段であって認証データを保持する認証データベースに反映させる反映工程と、
を含み、
前記認証データ生成工程では、前記オブジェクトを認証した際に用いた前記第１の撮影装置が有する認証データベースに登録されていた第１の認証データに対応する第１の条件とは異なる第２の条件に対応する第２の認証データを生成する
ことを特徴とする制御方法。
【請求項２０】
コンピュータを、請求項１６乃至１８の何れか１項に記載の情報処理装置の各手段として機能させるためのプログラム。